(57)【要約】【課題】清掃手段では清掃できなかった汚れやタバコ等の臭いが付着したままの状態で、空気調和機を運転してしまうことのない天井埋込型空気調和機を提供する。【解決手段】フィルタ清掃装置４０及びフィルタ搬送装置４１を稼働させる時間を予め設定し、設定した時間の経過に応じてフィルタ清掃装置４０及びフィルタ搬送装置を自動的に稼働させるようにした。【選択図】図４
2007309583.tif 000002
【特許請求の範囲】
【請求項１】
熱交換器及び送風機を有する本体ユニットと、この本体ユニットの下方位置に配置される化粧パネルとを備えた天井埋込型空気調和機において、
前記本体ユニットと前記化粧パネルとの間にロール巻き取り式のフィルタ素材を設けると共に、このフィルタ素材に付着した塵埃を吸引して清掃する清掃手段を設け、
第１の時間が経過する毎に清掃手段を動作してフィルタ素材を清掃し、第１の時間よりも長い第２の時間が経過する毎にフィルタ素材を巻き取る制御手段を備えたことを特徴とする天井埋込型空気調和機。
【請求項２】
熱交換器及び送風機を有する本体ユニットと、この本体ユニットの下方位置に配置される化粧パネルとを備えた天井埋込型空気調和機において、
前記本体ユニットと前記化粧パネルとの間にフィルタユニットを備え、
前記フィルタユニットにロール巻き取り式のフィルタ素材を設けると共に、このフィルタ素材に付着した塵埃を吸引して清掃する清掃手段を設け、
第１の時間が経過する毎に清掃手段を動作してフィルタ素材を清掃し、第１の時間よりも長い第２の時間が経過する毎にフィルタ素材を巻き取る制御手段を備えたことを特徴とする天井埋込型空気調和機。
【請求項３】
前記第１の時間及び前記第２の時間はリモコンで設定変更が可能であることを特徴とする請求項１又は２に記載の天井埋込型空気調和機。
【請求項４】
前記フィルタ素材を巻き取る直前に前記フィルタ素材を清掃することを特徴とする請求項１乃至３のいずれか一項に記載の天井埋込型空気調和機。
【請求項５】
前記送風機の累積運転時間が前記第１の時間に達した場合にフィルタ素材を清掃し、前記第２の時間に達した場合にフィルタ素材を巻き取ることを特徴とする請求項１乃至４のいずれか一項に記載の天井埋込型空気調和機。
【発明の詳細な説明】
【技術分野】
【０００１】
本発明は、天井に埋め込まれ、下部に吸込面を備えた天井埋込型空気調和機に関する。
【背景技術】
【０００２】
従来、天井埋込型の空気調和機では、室内空気の吸込面にフィルタ素材が配置されており、このフィルタ素材によって吸込んだ室内空気を濾過している。このフィルタ素材には室内空気に含まれる塵埃が捕捉されて蓄積されるので、空気調和機の累積運転時間が長くなると、フィルタが目詰まりを起こしてしまい、吸気抵抗の増加に伴って空気調和機の運転効率が低下してしまう。そのため、フィルタ素材の濾過面に付着している塵埃を清掃手段で吸引して清掃すると共に、汚れたフィルタ素材をフィルタ搬送機構で巻き取って新しいフィルタ素材を繰り出す空気調和機が提案されている（例えば、特許文献１参照）。
【特許文献１】特開平９−１８４６５６号公報
【発明の開示】
【発明が解決しようとする課題】
【０００３】
しかしながら、上述した従来の空気調和機においては、特にフィルタ素材を巻き取って新たな濾過面を構成してから、次にフィルタ素材を巻き取るまでの時間（例えば、１ヶ月間。）が長いことにより、ユーザがフィルタ搬送機構を作動させる時期を管理するのは困難であった。このため、フィルタ素材を巻き取らず、濾過面に、清掃手段では清掃できなかった汚れやタバコ等の臭いが付着したままの状態で、空気調和機を運転してしまうことがあった。
そこで、本発明の目的は、上述した従来の技術が有する課題を解消し、清掃手段では清掃できなかった汚れやタバコ等の臭いが付着したままの状態で、空気調和機を運転してしまうことのない天井埋込型空気調和機を提供することにある。
【課題を解決するための手段】
【０００４】
本発明は、熱交換器及び送風機を有する本体ユニットと、この本体ユニットの下方位置に配置される化粧パネルとを備えた天井埋込型空気調和機において、前記本体ユニットと前記化粧パネルとの間にロール巻き取り式のフィルタ素材を設けると共に、このフィルタ素材に付着した塵埃を吸引して清掃する清掃手段を設け、第１の時間が経過する毎に清掃手段を動作してフィルタ素材を清掃し、第１の時間よりも長い第２の時間が経過する毎にフィルタ素材を巻き取る制御手段を備えたことを特徴とする。
【０００５】
また本発明は、熱交換器及び送風機を有する本体ユニットと、この本体ユニットの下方位置に配置される化粧パネルとを備えた天井埋込型空気調和機において、前記本体ユニットと前記化粧パネルとの間にフィルタユニットを備え、前記フィルタユニットにロール巻き取り式のフィルタ素材を設けると共に、このフィルタ素材に付着した塵埃を吸引して清掃する清掃手段を設け、第１の時間が経過する毎に清掃手段を動作してフィルタ素材を清掃し、第１の時間よりも長い第２の時間が経過する毎にフィルタ素材を巻き取る制御手段を備えたことを特徴とする。
【０００６】
上記場合において、前記第１の時間及び前記第２の時間はリモコンで設定変更が可能であってもよい。前記フィルタ素材を巻き取る直前に前記フィルタ素材を清掃してもよい。前記送風機の累積運転時間が前記第１の時間に達した場合にフィルタ素材を清掃し、前記第２の時間に達した場合にフィルタ素材を巻き取ってもよい。
【発明の効果】
【０００７】
本発明によれば、フィルタ素材を清掃する清掃手段とフィルタ搬送機構とが、予め設定した時間の経過に応じて自動的に稼働するため、適切な時間でフィルタ素材を清掃することができる。
【発明を実施するための最良の形態】
【０００８】
以下、本発明の一実施の形態を、添付図面を参照して説明する。
図１は、本発明の実施の形態に係る天井埋込型空気調和機１００の斜視図、図２は、図１の断面図である。
この天井埋込型空気調和機１００は、図１に示すように、略四角形の箱形に形成されている板金製の本体ユニット１と、フィルタユニット２０と、化粧パネル２１とによって三段に構成されており、図２に示すように、吊りボルト２で天井から吊り下げられている。
【０００９】
この本体ユニット１の内側には、図２に示すように、発泡スチロール製の断熱体３、送風機９、及び熱交換器１１を備えている。断熱体３は、本体ユニット１の側板１Ａの内面に略接した状態で配置されている。
送風機９は、シャフトを下向きに配置されたモータ５と、モータ５のシャフトに取り付けられた羽根車７とで構成されている。
熱交換器１１は、この送風機９を取り囲むように、略四角形状に曲げられており、断熱体３の内側に配置されている。
【００１０】
また、この断熱体３の内側であって熱交換器１１の下方には、熱交換器１１の下面１１Ａを覆うように、発泡スチロール製のドレンパン１３と、このドレンパン１３に溜まるドレンを外部に排出するドレンポンプ（不図示）が配置されている。
ドレンパン１３は、その外周１３Ａが本体ユニット１の側板１Ａの内面に略接した状態で配置されており、このドレンパン１３には、送風機９のノズル１７、電装ボックス１９（図３）等の各種部品がねじ止めされている。
フィルタユニット２０は、図１に示すように、取付具５５が本体ユニット１のフィルタユニット取付部５６に支持されて本体ユニット１の下面に取り付けられており、図２に示すように、フィルタ素材２５と、フィルタ清掃装置（清掃手段）４０と、フィルタ搬送装置（フィルタ搬送装置）４１とを備えている。
フィルタユニット２０の下面には、化粧パネル２１が取り付けられている。この化粧パネル２１には、被調和室の空気を吸込む吸込口２２と、調和空気を被調和室に吹き出す吹出口２３とが形成されている。
【００１１】
図３は、本体ユニット１を示す底面図である。
ドレンパン１３には、吸込開口１３０及び吹出開口１３１が形成されている。吸込開口１３０は、ドレンパン１３を本体ユニット１に組み付けたときに、吸込開口１３０が化粧パネル２１の吸込口２２（図２参照）に対応する位置に形成され、吹出開口１３１は化粧パネル２１の吹出口２３（図２参照）に対応する位置に形成されている。ドレンパン１３に設けられた吸込開口１３０は、略矩形に形成されたドレンパン１３の中央に平面視略円形に形成されている。また、吹出開口１３１は、ドレンパン１３の４辺のそれぞれに沿って形成されている。
本体ユニット１の側板１Ａの外側には、４個の吊り金具２７Ａ〜２７Ｄが連結されており、この吊り金具２７Ａ〜２７Ｄが吊りボルト２（図２参照）で支持されて、天井埋込型空気調和機１００は天井から吊り下げられている。吊り金具２７Ａ〜２７Ｄに、補強部材１５Ａ、１５Ｂがねじ３０でねじ止めされており、この補強部材１５Ａとドレンパン１３とに前記電装ボックス１９がねじ止めされている。また、吊り金具２７Ａとこの吊り金具２７Ａの対角にある吊り金具２７Ｄとの近傍には、フィルタユニット２０の取付具５５（図１参照）を連結してフィルタユニット２０を支持するためのフィルタユニット取付部５６が設けられている。
【００１２】
図４は、フィルタユニット２０を示す底面図である。
フィルタユニット２０には、吸込開口４２及び吹出開口４３が形成されている。吸込開口４２は、フィルタユニット２０を本体ユニット１に組み付けたときに、化粧パネル２１の吸込口２２（図２参照）に対応する位置に形成され、吹出開口４３は化粧パネル２１の吹出口２３（図２参照）に対応する位置に形成されている。フィルタユニット２０に設けられた吸込開口４２は、略矩形に形成されたフィルタユニット２０の中央に平面視略矩形に形成されている。また、吹出開口４３は、フィルタユニット２０の４辺のそれぞれに沿って形成されている。
フィルタユニット２０の底面には、四隅に化粧パネル２１を支持するための化粧パネル取付部５７が設けられている。また、フィルタユニット２０の取付具５５は、フィルタユニット２０を本体ユニット１に組み付けたときに、本体ユニット１のフィルタユニット取付部５６に対応する位置に設けられている。
【００１３】
フィルタユニット２０の吸込開口４２は、図２に示すように、フィルタユニット２０を本体ユニット１に組み付けたときに、本体ユニット１の吸込開口１３０に対応する位置に形成され、フィルタユニット２０の吹出開口４３は本体ユニット１の吹出開口１３１に対応する位置に形成されている。このため、化粧パネル２１の吸込口２２から吸込まれた空気は、フィルタユニット２０の吸込開口４２を通って、本体ユニット１の吸込開口１３０に流入する。また、本体ユニット１の吹出開口１３１から吹出された調和空気は、フィルタユニット２０の吹出開口４３を通って、化粧パネル２１の吹出口２３から被調和室に吹出す。
【００１４】
フィルタ素材２５は、図４に示すように、フィルタ搬送装置４１に取り付けられており、矩形の濾過面２６が形成されている。この濾過面２６は、フィルタ素材２５が取り付けられた状態で、ドレンパン１３に形成された吸込開口１３０を覆い尽くすようになっている。このフィルタ素材２５には、付着した塵埃が取り除き易く、容易に清掃することができるように、凹凸の少ないフラットな素材で帯状に形成されている。フィルタ素材２５は、フィルタ搬送装置４１により、矢印Ａに示す方向に搬送可能であり、フィルタ素材２５の搬送方向の前後には、濾過面２６の枠を形成する枠フレーム５８が設けられている。
【００１５】
フィルタ清掃装置４０は、清掃ノズル４７、フレキシブルホース４９及び吸引装置４８を備えている。吸引装置４８と清掃ノズル４７とは、フレキシブルホース４９を介して接続されており、吸引装置４８が吸引力を発生させることにより、吸込口としての清掃ノズル４７が、フィルタ素材２５に付着した塵埃を吸引する。このとき、清掃ノズル４７が吸引した塵埃は、フレキシブルホース４９を介して吸引装置４８に搬送され、この吸引装置４８に設けられた集塵ボックス４８Ａに集塵される。
この集塵ボックス４８Ａは、フィルタユニット２０の角部であって隣り合う二つの吹出開口４３の間に配置されているため、フィルタユニット２０はコンパクトに形成されている。また、フィルタユニット２０は、集塵ボックス４８Ａを備えることにより、集塵した塵埃を室外等に捨てる必要がなく、さらには、室外等に通じる排気用フレキシブルホース等を設ける必要がなく、フィルタユニット２０の据え付けが容易である。集塵ボックス４８Ａはサイクロン式であり、吸引した塵埃を圧縮して集塵するため、小さな集塵ボックス４８Ａであっても、多量の塵埃を集塵することができる。
【００１６】
また、集塵ボックス４８Ａの外側、すなわちフィルタユニット２０の外枠２０Ａの外側には、吸引装置４８の吸引力を発生させる吸引送風機５４が配置されている。さらにこの吸引送風機５４の横には、この吸引送風機５４を駆動する吸引モータ５３が配置されている。吸引送風機５４及び吸引モータ５３は、吸引装置４８の一部を構成している。吸引装置４８は、集塵ボックス４８Ａ及び吸引送風機５４に対して略直角に曲がった位置、すなわち、吹出開口４３の横の位置に吸引モータ５３が配置されている。このため、吸引モータ５３が、集塵ボックス４８Ａ及び吸引送風機５４に対して直線的に配置された場合に対して、フィルタユニット２０はコンパクトに構成されている。
【００１７】
清掃ノズル４７は、フィルタ素材２５の幅方向両端に濾過面２６に沿って配置された一対のレールフレーム５０Ａ、５０Ｂに架け渡されている。この清掃ノズル４７は、図４に示すように、レールフレーム５０Ａ、５０Ｂに架け渡されたメインフレーム７１を備え、このメインフレーム７１のフィルタ素材２５側には、図５に示すように、ノズル本体７０が取り付けられている。このノズル本体７０は、矩形断面であるとともに中空に形成されており、濾過面２６に対向する吸込面７０Ａの中央には、図６に示すように、レールフレーム５０Ａ側からレールフレーム５０Ｂ側にわたり、濾過面２６に付着した塵埃を吸引する吸引開口７５が形成されている。
ノズル本体７０のレールフレーム５０Ａ側は、Ｌ字管７６を介してフレキシブルホース４９（図４参照）に接続されている。また、ノズル本体７０の内部空間は、Ｌ字管７６側（レールフレーム５０Ａ側）の端部で高さｔ１である。このため、ノズル本体７０の内部空間の高さは、Ｌ字管７６側から他端にかけて次第に小さくなるように形成されており、他端側、すなわち、レールフレーム５０Ｂ側では高さｔ２（ｔ１＞ｔ２）となる。これにより、吸引開口７５におけるＬ字管７６から近い位置とＬ字管７６から遠い位置とで、吸引力の差が生じるのを抑えることができる。
【００１８】
メインフレーム７１のレールフレーム５０Ａ側端部及びレールフレーム５０Ｂ側端部には、図５に示すように、メインフレーム７１に、メインフレーム７１からフィルタ素材２５（濾過面２６）の裏側（吸込開口１３０側）まで延在するサイドフレーム７３が取り付けられている。一対のサイドフレーム７３の間には、フィルタ素材２５の裏側に、対向板７２が架け渡されている。すなわち、フィルタ素材２５は、濾過面２６の表側に配置されたノズル本体７０と、濾過面２６の裏側に配置されてノズル本体７０の吸込面７０Ａに対向する対向板７２とにより挟み込まれている。ここで、吸込面７０Ａに対向する対向板７２の面の面積は、吸込面７０Ａと略同面積である。また、吸込面７０Ａと対向板７２との間隔は、吸引装置４８が稼働したときに、吸込面７０Ａと対向板７２との間を流れる空気の流速が上昇し、吸引力が向上する程度の間隔で構成されている。
【００１９】
また、一対のサイドフレーム７３の間には、フィルタ素材２５の裏側に接触するブラシローラ７４が架け渡されている。このブラシローラ７４は、吸引装置４８の吸引モータ５３に連動して動作する図示せぬモータによって、フィルタ素材２５に接触する面が吸込開口７５に向かって回転する。このため、ブラシローラ７４は、フィルタ素材２５の裏面を吸込開口７５に向けて引っ掻き、フィルタ素材２５を振動させ、フィルタ清掃装置４０の清掃能力を向上させる。ここで、ブラシローラ７４は、例えば、モータを用いることなく、吸引装置４８が吸引力を発生させたときに、吸込面７０Ａと対向板７２との間を吸引開口７５に向かって流れる空気の風力によって回転するものであってもよい。
【００２０】
清掃ノズル４７は、図４に示すように、レールフレーム５０Ａ、５０Ｂに対して略垂直に保たれた状態で、両端がレールフレーム５０Ａ、５０Ｂに取り付けられ、矢印Ｂに示すようにレールフレーム５０Ａ、５０Ｂに沿って前後にスライドすることができる。
天井埋込型空気調和機１００の運転中には、清掃ノズル４７は、矢印Ｂのいずれかの方向の終端部、すなわち、濾過面２６を通風する空気の妨げとならない位置にある。
【００２１】
フレキシブルホース４９は、フィルタ搬送装置４１と吹出開口４３との間に形成されたホース収納空間Ｅに収納されている。ここで、フレキシブルホース４９の中間部は、ホース収納空間Ｅのうちのレールフレーム５０Ａ、５０Ｂに略平行に形成された壁面Ｅ１の中央から集塵ボックス４８Ａに若干寄った位置に、ホース固定具５９で固定されている。このため、フレキシブルホース４９は、ホース固定具５９を基点に、清掃ノズル４７側が自由に動き、清掃ノズル４７の移動に追従して動くことができる。また、フレキシブルホース４９は、ホース固定具５９と集塵ボックス４８Ａとの間が略直線的に延在し、吸引装置４８が吸引するときの圧力損失を抑え、吸引力の低下を抑えている。
【００２２】
レールフレーム５０Ａのフィルタ素材２５と反対側の側面には、スライドモータ５１が配置され、レールフレーム５０Ａのフィルタ素材２５側の側面には、図２に示すように、スライド方向の両端近傍に一対のプーリ５２が配置されている。
これら一対のプーリ５２の周りには、一本の輪状のベルト５３が巻き掛けられている。このベルト５３は、スライドモータ５１の駆動力によって一対のプーリ５２の周りを回転するようになっている。また、ベルト５３には清掃ノズル４７が固定されており、スライドモータ５１が回転してベルト５３の回転することにより、清掃ノズル４７がレールフレーム５０Ａ、５０Ｂに沿って移動するようになっている。
【００２３】
フィルタ搬送装置４１は、濾過面２６の両端でフィルタ素材２５をガイドする一対のガイド軸４４を備えている。また、これら一対のガイド軸４４の間には、一対のロール４５Ａ、４５Ｂが配置されている。これらロール４５Ａ、４５Ｂは、濾過面２６とドレンパン１３との間に配置されているとともに、濾過面２６から吸込開口１３０に対して垂直に流入する空気の妨げとならない位置に避けて配置されている。
フィルタ素材２５は帯状に形成されており、濾過面２６の両端でガイド軸４４に沿って吸込開口１３０に向かって屈曲されている。フィルタ素材２５は、一端がロール４５Ａに巻きつけられ、他端がロール４５Ｂに巻き付けられている。濾過面２６の両端がガイド軸４４で屈曲して形成されているため、ガイド軸４４を設けずに濾過面２６の両端に直接ロール４５Ａ、４５Ｂを設けた場合と異なり、ロール４５Ａ、４５Ｂに巻き付けられたフィルタ素材２５の巻き数に応じて、フィルタ搬送装置４１と枠フレーム５８との隙間Ｃ、Ｄの大きさが変化することがない。
【００２４】
ロール４５Ａは、搬送モータ４６の駆動力で回転可能であり、ロール４５Ｂは、ある一定の力（少なくとも送風機９の吸引力ではフィルタ素材２５が送風機９に吸込まれない程度の力）を超えたときのみに回転するラッチを備えている。これにより、ロール４５Ａがフィルタ素材２５を引っ張るため、フィルタ素材２５にテンションが生じるようになっている。
搬送モータ４６が駆動すると、ロール４５Ａが回転してフィルタ素材２５を引張り、ロール４５Ｂに巻き付けられたフィルタ素材２５が繰り出されてフィルタ素材２５が矢印Ａに示す方向に搬送され、フィルタ素材２５における濾過面２６の位置が変わる。
【００２５】
図７は、スライドモータ５１、吸引モータ５３及び搬送モータ４６を駆動する制御装置（制御手段）６０のブロック図である。スライドモータ５１は駆動回路６１Ａを介してマイクロコンピュータ６２（以下、「マイコン」という。）に接続され、吸引モータ５３は駆動回路６１Ｂを介してマイコン６２に接続され、搬送モータ４６は駆動回路６１Ｃを介してマイコン６２に接続されている。マイコン６２には、書き換え可能な不揮発性メモリ６３（例えば、ＥＥＰＲＯＭ）及びリモートコントローラ６４（以下、「リモコン」という。）が接続されている。駆動回路６１Ａ、６１Ｂ、６１Ｃ、マイコン６２及び不揮発性メモリ６３は、基板に実装され、電装ボックス１９（図３参照）に収納されている。また、リモコン６４は、例えば、被調和室の壁や柱等であって、ユーザの手が届く範囲の任意の場所に設置される。
【００２６】
マイコン６２は、記録媒体（例えばＲＯＭやＥＥＰＲＯＭ等）６２Ａに予め記憶されている制御プログラムに基づいて、フィルタ清掃装置４０及びフィルタ搬送装置４１の動作制御を行うものである。このプログラムに従うと、マイコン６２は、駆動回路６１Ａを介してスライドモータ５１を制御することにより清掃ノズル４７の位置を移動させ、駆動回路６１Ｂを介して吸引モータ５３を制御することにより清掃ノズル４７に吸引力を発生させ、駆動回路６１Ｃを介して搬送モータ４６を制御することによりフィルタ素材２５の搬送、すなわち、フィルタ素材２５における濾過面２６の位置を変更させる。
また、マイコン６２は、フィルタ搬送装置４１を稼働する場合には、ロール４５Ａがフィルタ素材２５を巻き取る直前に、フィルタ清掃装置４０がフィルタ素材２５の濾過面２６に蓄積した塵埃を吸引して清掃するように制御する。
さらに、マイコン６２は、実際の時刻を計時しており、計時した時刻に基づく累積時間を時間情報データとして不揮発性メモリ６３に記憶する。
【００２７】
ユーザは、リモコン６４を操作することにより、フィルタ清掃装置４０を稼働させて濾過面２６に蓄積した塵埃を吸引させて清掃したり、さらには、フィルタ搬送装置４１を稼働させてフィルタ素材２５の濾過面２６を汚れていない位置に変更したりすることができる。具体的には、マイコン６２は、リモコン６４の指令に応じて、スライドモータ５１、吸引モータ５３及び搬送モータ４６を制御する。
【００２８】
不揮発性メモリ６３には、フィルタ清掃装置４０を稼働させる時間（第１の時間）と、フィルタ搬送装置４１を稼働させる時間（第２の時間）とが稼働時間データとして、工場出荷時や据え付け時に、予め設定されて記憶されている。マイコン６４は、不揮発性メモリ６３から、この稼働時間データと時間情報データとを取得し、稼働時間データと実際の時刻に基づく時間情報データとを比較し、実際の時間が、フィルタ清掃装置４０あるいはフィルタ搬送装置４１を稼働させる時間を経過した場合に、フィルタ清掃装置４０やフィルタ搬送装置４１を自動的に稼働させることができる。ここで、フィルタ清掃装置４０の稼働時間は、フィルタ搬送装置４１の稼働時間よりも短く設定され、例えば、フィルタ清掃装置４０は毎週（週に一回）稼働するように設定され、フィルタ搬送装置は毎月（月に一回）稼働するように設定されている。
【００２９】
これらフィルタ清掃装置４０の稼働時間及びフィルタ搬送装置４１の稼働時間は、リモコン６４で設定変更が可能であり、ユーザがリモコン６４を操作することにより、不揮発性メモリ６３に記憶されたフィルタ清掃装置４０の稼働時間及びフィルタ搬送装置４１の稼働時間は書き換えられる。フィルタ清掃装置４０の稼働時間及びフィルタ搬送装置４１の稼働時間は、年、月、日、時、分、秒の単位で設定することができ、単純に設定した時間（例えば、一週間や一月。）が経過したときに稼働させるだけでなく、稼働させる具体的な時刻を設定することができる。これにより、例えば、２００６年４月１０日２２時３０分に稼働するように設定したり、この時刻を基点に、一ヶ月おきに稼働させたりするといった設定を行うことができる。
【００３０】
天井埋込型空気調和機１００を運転すると、化粧パネル２１の吸込口２２から吸込まれた被調和室の空気は、フィルタ素材２５の濾過面２６で濾過された後に送風機９を通過し、熱交換器１１に送風される。熱交換器１１に送風された空気は、熱交換器１１で空気調和され、調和空気として、化粧パネル２１の吹出口２３から被調和室に吹き出される。
天井埋込側空気調和機１００の運転時間が経過するとともに、フィルタ素材２５の濾過面２６には、被調和室の空気に含まれていた塵埃が捕捉されて蓄積される。このとき、フィルタ清掃装置４０の稼働時間が経過すると、フィルタ清掃装置４０が稼働して、濾過面２６に蓄積された塵埃が吸引されて清掃される。また、フィルタ搬送装置４１の稼働時間が経過すると、フィルタ清掃装置４０が稼働し、濾過面２６に蓄積された塵埃を吸引した直後に、フィルタ搬送装置４１のロール４５Ａがフィルタ素材２５を巻き取ってフィルタ素材２５を搬送し、フィルタ素材２５における濾過面２６の位置を、汚れていない新たな位置に変更する。
【００３１】
本実施形態では、フィルタ清掃装置４０及びフィルタ搬送装置４１を稼働させる時間を予め設定し、設定した時間の経過に応じてフィルタ清掃装置４０及びフィルタ搬送装置を自動的に稼働させることができる。これにより、フィルタ清掃装置４０あるいはフィルタ搬送装置４１を稼働させるのに適切な時間になる度に、ユーザがリモコン６４を操作して稼働させる必要がなく、自動的に適切な時間でフィルタ素材２５を清掃することができる。
【００３２】
また、本実施形態では、フィルタ清掃装置４０を稼働させる時間は、フィルタ搬送装置４１を稼働させる時間よりも短く設定されている。これにより、ロール４５Ｂに巻き付けられたフィルタ素材２５の長さに応じて稼働可能回数が制限されるフィルタ清掃装置４０の稼働回数を、集塵ボックス４８Ａがいっぱいにならない限り稼働可能回数が制限されないフィルタ清掃装置４０の稼働回数よりも少なく抑えて制御される。このため、フィルタ素材２５自体の交換時期を延ばすことができる。
【００３３】
さらに、本実施形態では、フィルタ清掃装置４０を稼働させる時間及びフィルタ搬送装置４１を稼働させる時間は、リモコン６４で設定変更が可能であるため、ユーザの使用状況や使用環境に応じた最適な時間で、フィルタ清掃装置４０及びフィルタ搬送装置４１を稼働させることができる。
【００３４】
さらにまた、本実施形態では、フィルタ搬送装置４１がフィルタ素材２５を巻き取る直前に、フィルタ清掃装置４０がフィルタ素材２５を清掃するため、フィルタ素材２５とともに大量の塵埃をロール４５Ａに巻き取ってしまうことを防ぐことができる。
【００３５】
上記実施形態では、四方向吹出式の天井埋込型空気調和機を用いているが、これに限定されず、二方向吹出式等のその他の天井埋込型空気調和機を用いてもよい。
また、上記実施形態では、本体ユニット１と、フィルタユニット２０と、化粧パネル２１とによって三段に構成された天井埋込型空気調和機１００を用いているが、これに限定されず、フィルタ素材、フィルタ清掃装置及びフィルタ搬送装置を備える本体ユニットと化粧パネルとによって二段に構成された天井埋込型空気調和機であってもよい。
さらに、上記実施形態では、フィルタ清掃装置４０あるいはフィルタ搬送装置４１を稼働させる時間が経過したか否かを判断するのに、実際の時間を用いて判断しているが、これに限定されず、天井埋込型空気調和機１００の累積運転時間、あるいは、送風機９の累積運転時間等であってもよい。これにより、フィルタ清掃装置４０及びフィルタ搬送装置４１を、よりフィルタ素材２５の使用状況に沿って稼働させることができる。
【図面の簡単な説明】
【００３６】
【図１】本発明による天井埋込型空気調和機を示す斜視図である。
【図２】天井埋込型空気調和機を示す断面図である。
【図３】本体ユニットを示す底面図である。
【図４】フィルタユニットを示す底面図である。
【図５】清掃ノズルを示す断面図である。
【図６】ノズル本体を示す上面図及び側面図である。
【図７】制御装置のブロック図である。
【符号の説明】
【００３７】
１  本体ユニット
９  送風機
１１  熱交換器
２０  フィルタユニット
２１  化粧パネル
２５  フィルタ素材
４０  フィルタ清掃装置（清掃手段）
６０  制御装置（制御手段）
６４  リモートコントローラ
１００  天井埋込型空気調和機
【図１】
2007309583.tif 000003
【図２】
2007309583.tif 000004
【図３】
2007309583.tif 000005
【図４】
2007309583.tif 000006
【図５】
2007309583.tif 000007
【図６】
2007309583.tif 000008
【図７】
2007309583.tif 000009